(57)【要約】【課題】ネタ先端部の挟み込みを無くすことができて、寿司ネタについてのボリューム感を増大させることのできる寿司用容器を提供すること。【解決手段】容器本体１０の底面部の外周にネタ台１３を一体的に形成して、このネタ台１３の外側に形成した係合フランジ部１５に、蓋体２０の嵌合フランジ部を外嵌合したとき、この嵌合フランジ部の接触部２３ａの内側でネタ台１３上に、寿司３０のネタ先端部３２ａを収納する第１ネタ空間Ｒ１を形成したこと。【選択図】図１
2011157113.tif 000002
【特許請求の範囲】
【請求項１】
寿司が収納される容器本体に蓋体を外嵌合するようにした寿司用容器であって、
前記容器本体の底面部の外周にネタ台を一体的に形成して、このネタ台の外側に形成した係合フランジ部に、前記蓋体の嵌合フランジ部を外嵌合したとき、この嵌合フランジ部の接触部の内側で前記ネタ台上に、前記寿司のネタ先端部を収納する第１ネタ空間を形成したことを特徴とする寿司用容器。
【請求項２】
前記ネタ台を外側下方に傾斜させるとともに、前記蓋体には外側下方へ傾斜する側壁を形成したことを特徴とする請求項１に記載の寿司用容器。
【請求項３】
寿司が収納される容器本体に蓋体を外嵌合するようにした寿司用容器であって、
前記容器本体の底面部の外周に側壁部を形成するとともに、この側壁部の上端にネタ台を一体的に形成して、
このネタ台の外側に形成した係合フランジ部に、前記蓋体の嵌合フランジ部を外嵌合したとき、この嵌合フランジ部の接触部の内側で前記ネタ台上に、前記寿司のネタ先端部を収納する第１ネタ空間を形成したことを特徴とする寿司用容器。
【請求項４】
前記ネタ台を外側下方に傾斜させるとともに、前記蓋体には外側下方へ傾斜する側壁を形成したことを特徴とする請求項３に記載の寿司用容器。
【請求項５】
寿司が収納される容器本体に蓋体を外嵌合するようにした寿司用容器であって、
前記容器本体の底面部の外周に膨出部を形成するとともに、この膨出部の外側にネタ台を一体的に形成して、
このネタ台の外側に形成した係合フランジ部に、前記蓋体の嵌合フランジ部を外嵌合したとき、前記膨出部の外側にあるネタ台上に、前記寿司のネタ先端部を収納する第１ネタ空間を形成したことを特徴とする寿司用容器。
【請求項６】
前記ネタ台を外側下方に傾斜させるとともに、前記蓋体には外側下方へ傾斜する側壁を形成したことを特徴とする請求項５に記載の寿司用容器。
【請求項７】
寿司が収納される容器本体に蓋体を外嵌合するようにした寿司用容器であって、
前記容器本体の底面部の外周に位置する係合フランジ部に膨出脚部を形成して、
前記容器本体の係合フランジ部に前記蓋体の嵌合フランジ部を外嵌合したときに、前記膨出脚部内を、前記寿司のネタ先端部を収納する第２ネタ空間としたことを特徴とする寿司用容器。
【発明の詳細な説明】
【技術分野】
【０００１】
本発明は、寿司を収納する包装用容器に関し、特に、寿司ネタを潰すことなく大きな状態のまま収納することのできる寿司用容器に関するものである。
【背景技術】
【０００２】
持ち帰り用の寿司、あるいはスーパー等の店舗で陳列しながら販売される寿司は、容器に包装されることが多い。このような寿司用の包装用容器を、以下では寿司用容器というが、このような寿司用容器は、特許文献１や特許文献２等において、種々提案されてきている。
【先行技術文献】
【特許文献】
【０００３】
【特許文献１】実開昭６２−１６３０６０号公報、第１図、第２図
【特許文献２】特開２００１−１７１７７０号公報、要約、代表図、図１３
【発明の概要】
【発明が解決しようとする課題】
【０００４】
特許文献１の「食品容器」は、従来の容器が「高級感や立体感が感じられなかった。寿司職人と同じように体裁良く盛りつけることができなかった。押さえ付けるような状態で入れるため形くづれで味が変わることがあった。」などの問題を解決するために、図１４に示すように、「表面に濃い配色若しくは木目模様が施された上面に寿司２等の食品を載せる載置皿１３が凹設され裏面に台形状の凹部１７が形成された台形状の受台１と、比較的高さのある段付台形状の透明若しくは半透明の蓋体３とを設け、受台１の載置皿１３に寿司２等の食品を載せて蓋体３を嵌合するようにした」ものである。
【０００５】
しかしながら、この特許文献１の「食品容器」では、図１４の（ｂ）で示されているように、寿司の寿司ネタがシャリを包み込むようにしか収納することができず、一般的にシャリよりも大きな寿司ネタを広げて収納することができないものとなっていると考えられる。
【０００６】
また、特許文献２には、「新規な寿司の容器を提供すること」を目的とした「寿司の容器」が示されていて、この「寿司の容器」は、図１５及び図１６に示すように、「蓋部１と、寿司を置くための置き台部２からなり、置き台部２に４０℃のお湯を蓋部１を閉めた状態で３０分間放置した後に５℃に放置したとき蓋部１が曇らない防曇性に優れる寿司の容器、置き台部２の周囲に縁部がないか、あるいは高さが５ｍｍ以下の縁部３を有する寿司の容器、置き台部２が帯状突起４を有する寿司の容器、縁部３の内縁５が収納した寿司６の形状に沿う形状を有する寿司の容器」である。
【０００７】
しかしながら、この特許文献２の「寿司の容器」では、図１５に示すように、各寿司が「縁部３」内に収まるようになされるものであり、この「縁部３」からはみ出したネタは、「蓋部１」を嵌合したとき潰されてしなうものになっていると考えられる。また、「縁部３」からはみ出さないように寿司を収納すれば、寿司ネタを大きく広げることもできないし、こぢんまりと収まった状態になる。
【０００８】
つまり、これら従来の寿司用容器は、図１７に示すように、寿司を収納した容器本体に寿司を収納して蓋体を嵌合したとき、大きく見せたい筈の寿司ネタのネタ先端部が、容器本体のフランジ部と蓋体との間に挟まって潰れてしまうことがある。そうなると、これを蓋体の外から見た場合、新鮮で形良いものであるべき筈の寿司ネタが美味しそうには見えず、場合によっては、この潰れたネタ先端先端部の味の低下を来すこともある。
【０００９】
以上の結果を纏めてみると、この種の寿司用容器１００について、近年要望されてきていることは、次の通りとなっている。
（１）特に、寿司ネタについて、寿司のシャリから大きく突出した状態でしかも容器内にあっても溢れた感じにでき、ボリューム感溢れた収納を可能にすること
（２）寿司ネタのネタ先端部が容器本体に対する蓋体の嵌合によって潰されないようにすること
（３）上記のようにしてもがっちりと「段積み」ができること
（４）できれば、フランジ部自体の模様が映えるようにすること
【００１０】
そこで、本発明者等は、この種の寿司用容器について、ネタ先端部の挟み込みがなく、寿司ネタについてのボリューム感を増大させるようにするにはどうしたらよいか、について種々検討を重ねてきた結果、本発明を完成したのである。
【００１１】
すなわち、本発明の目的とするところは、ネタ先端部の挟み込みを無くすことができて、寿司ネタについてのボリューム感を増大させることのできる寿司用容器を、簡単な構成によって提供することにある。
【課題を解決するための手段】
【００１２】
以上の課題を解決するために、まず、請求項１に係る発明の採った手段は、後述する最良形態の説明中で使用する符号を付して説明すると、
「寿司３０が収納される容器本体１０に蓋体２０を外嵌合するようにした寿司用容器１００であって、
容器本体１０の底面部１１の外周にネタ台１３を一体的に形成して、このネタ台１３の外側に形成した係合フランジ部１５に、蓋体２０の嵌合フランジ部２３を外嵌合したとき、この嵌合フランジ部２３の接触部２３ａの内側でネタ台１３上に、寿司３０のネタ先端部３２ａを収納する第１ネタ空間Ｒ１を形成したことを特徴とする寿司用容器１００」
である。
【００１３】
この請求項１に係る寿司用容器１００は、容器本体１０に蓋体２０を外嵌合するようにしたものであるが、図１にも示すように、容器本体１０内に寿司３０が収納されるものである。そして、この容器本体１０の底面部１１の外周には、図２に示すように、ネタ台１３が一体的に形成されるのである。
【００１４】
この寿司用容器１００を構成する容器本体１０のネタ台１３は、寿司３０を構成しているシャリ３１上の寿司ネタ３２の先端部、つまりネタ先端部３２ａを十分伸ばして載置し得ることになる部分であり、例えば図１０にも示すように、容器本体１０を構成している底面部１１の外周に十分な広さを以て展開されるものである。このネタ台１３は、外側上方に向けた傾斜面（平面でも曲面でもよい）としてもよいが、後述する請求項２に係るネタ台１３のように、下方に傾斜する傾斜面としてもよい。
【００１５】
そして、このネタ台１３の外周には、図２及び図１０に示すように、係合フランジ部１５が形成してある。この係合フランジ部１５の先端には、次に述べる蓋体２０の嵌合フランジ部２３に形成してある係止部２３ｂが係止されるものである。そこで、蓋体２０の嵌合フランジ部２３を容器本体１０側に外嵌合したとき、この嵌合フランジ部２３の接触部２３ａの内側でネタ台１３上には、図２に示すように、寿司３０のネタ先端部３２ａを収納する第１ネタ空間Ｒ１が形成されるのである。
【００１６】
一方、この容器本体１０に外嵌合される蓋体２０は、図１中の仮想線、図１２及び図１３に示すように、側壁部２２によって天板部２１を持ち上げた状態に形成したものであり、この側壁部２２の下端開口部分には嵌合フランジ部２３が形成されるものである。この嵌合フランジ部２３には、図１３にも示すように、接触部２３ａと係止部２３ｂとが形成してあるが、接触部２３ａは、図２に示すように、ネタ台１３の先端部分あるいは係合フランジ部１５上に接触することになり、係止部２３ｂは、図２及び図９の（ａ）に示すように、上述した容器本体１０側の係合フランジ部１５の先端に係止されることになるものである。
【００１７】
なお、寿司３０は、図１及び図２に示すように、シャリ３１の上に寿司ネタ３２を載置したものであり、「タマゴ」や「トロ」等の大きな寿司ネタ３２については、そのネタ先端部３２ａを大きく展開した状態にすると、その豪華さを増大させ、食欲をそそるものである。寿司職人が握る寿司は、そのネタが非常に大きく展開する状態で皿等に盛られ、豪華で食欲をそそるものとなっているのは良く知られている。
【００１８】
さて、上記のように構成した容器本体１０に、図１に示すように、複数の寿司３０を載置及び収納するのであるが、このときに、タマゴ、トロ、エビ、あるいはアナゴのような大きな寿司ネタ３２については、そのネタ先端部３２ａをネタ台１３に展開されるようにするのである。
【００１９】
次に、図１中の仮想線及び図２に示すように、容器本体１０側の係合フランジ部１５の先端に蓋体２０側の係止部２３ｂが係合できるようにしながら容器本体１０に蓋体２０を嵌合するのであるが、嵌合し終われば、図２に示すような状態になる。つまり、嵌合フランジ部２３の接触部２３ａの内側でネタ台１３上には、図２に示すように、寿司３０のネタ先端部３２ａが収納できる第１ネタ空間Ｒ１が形成してあるから、ネタ先端部３２ａは蓋体２０の接触部２３ａによって潰されることはない。換言すれば、寿司３０は、その寿司ネタ３２のネタ先端部３２ａがネタ台１３上に展開されて美味しそうな見栄えを維持したまま、そのネタ先端部３２ａが潰されることはないのである。
【００２０】
従って、この請求項１に係る寿司用容器１００は、ネタ先端部３２ａの挟み込みを無くすことができて、寿司ネタ３２についてのボリューム感を増大させることのできるものとなっているのである。
【００２１】
また、上記課題を解決するために、請求項２に係る発明の採った手段は、上記請求項１に記載の寿司用容器１００について、
「ネタ台１３を外側下方に傾斜させるとともに、蓋体２０には外側下方へ傾斜する側壁２２を形成したこと」
である。
【００２２】
すなわち、この請求項２に係る寿司用容器１００では、まず、その容器本体１０に形成してあるネタ台１３を、図２に示すように、外側下方に傾斜させたものである。このため、ネタ先端部３２ａは、シャリ３１上の寿司ネタ３２から自然な状態でネタ台１３上に展開されることになり、その豪華さや美味しそうな見栄えを確実に維持し得るものとなっているのである。
【００２３】
また、この請求項２に係る寿司用容器１００では、その蓋体２０に外側下方へ傾斜する側壁２２を形成したものであり、この側壁２２によってさらにネタ台１３が傾斜することになって、ネタ台１３と接触部２３ａとの距離を大きくすることができる。
【００２４】
従って、この請求項２に係る寿司用容器１００は、請求項１に係るそれと同様な機能を有する他、寿司ネタ３２のネタ先端部３２ａを、シャリ３１上の寿司ネタ３２からより自然な状態でネタ台１３上に展開し得るものとなっているのである。
【００２５】
上記課題を解決するために、請求項３に係る発明の採った手段は、実施形態において使用する符号を付して説明すると、
「寿司３０が収納される容器本体１０に蓋体２０を外嵌合するようにした寿司用容器１００であって、
容器本体１０の底面部１１の外周に側壁部１２を形成するとともに、この側壁部１２の上端にネタ台１３を一体的に形成して、
このネタ台１３の外側に形成した係合フランジ部１５に、蓋体２０の嵌合フランジ部２３を外嵌合したとき、この嵌合フランジ部２３の接触部２３ａの内側でネタ台１３上に、寿司３０のネタ先端部３２ａを収納する第１ネタ空間Ｒ１を形成したことを特徴とする寿司用容器１００」
である。
【００２６】
すなわち、この請求項３の寿司用容器１００は、図３に示すように、容器本体１０の底面部１１の外周に側壁部１２を形成するとともに、この側壁部１２の上端にネタ台１３を一体的に形成したものであり、その他は、上記請求項１に係るそれと同様であるので、以下では、容器本体１０の底面部１１の外周に側壁部１２を形成した点を中心に説明することとする。なお、この請求項３に係る寿司用容器１００を示す図３中に、上記請求項１の説明で使用した部材で共通して使用している部材がある場合には、図２中で使用したのと同一の符号を付して、その説明を省略する。
【００２７】
側面部１２は、容器本体１０を構成している底面部１１の外周から直接的に立ち上がるものであり、底面部１１と同一の材料から形成した一枚板状のものである。そして、この側面部１２の上端からネタ台１３が直接的に延在しているのであり、このネタ台１３の外側には係合フランジ部１５が形成される。勿論、これらのネタ台１３、側面部１２、係合フランジ部１５、及び係合フランジ部１５は、例えば当該容器本体１０を「シート成形」した場合には、同じシートをそのまま材料として形成されることになるものである。
【００２８】
そして、この請求項３に係る寿司用容器１００では、ネタ台１３の外側に形成した係合フランジ部１５に、蓋体２０の嵌合フランジ部２３を外嵌合したとき、この嵌合フランジ部２３の接触部２３ａの内側でネタ台１３上に、図３に示すように、寿司３０のネタ先端部３２ａを収納する第１ネタ空間Ｒ１が形成される。
【００２９】
さて、上記のように構成した容器本体１０に、図１に示すように、複数の寿司３０を載置及び収納するのであるが、このときに、タマゴ、トロ、エビ、あるいはアナゴのような大きな寿司ネタ３２については、そのネタ先端部３２ａをネタ台１３に展開されるようにするのである。
【００３０】
次に、図１中の仮想線及び図３に示すように、容器本体１０側の係合フランジ部１５の先端に蓋体２０側の係止部２３ｂが係合できるようにしながら容器本体１０に蓋体２０を嵌合するのであるが、嵌合し終われば、図２に示すような状態になる。つまり、嵌合フランジ部２３の接触部２３ａの内側でネタ台１３上には、図３に示すように、寿司３０のネタ先端部３２ａが収納できる第１ネタ空間Ｒ１が形成してあるから、ネタ先端部３２ａは蓋体２０の接触部２３ａによって潰されることはない。換言すれば、寿司３０は、その寿司ネタ３２のネタ先端部３２ａがネタ台１３上に展開されて美味しそうな見栄えを維持したまま、そのネタ先端部３２ａが潰されることはないのである。
【００３１】
特に、側面部１２を形成したことから、この側面部１２が寿司３０のシャリ３１部分を収納するための境界線となるから、この側面部１２の内側にシャリ３１を当接させながら寿司３０を収納することによって、寿司３０の当該容器本体１０内での移動を防止しながら、ネタ先端部３２ａから接触部２３ａまでの距離を長くすることができる。このため、ネタ先端部３２ａが接触部２３ａによって潰されることはない。
【００３２】
従って、この請求項３に係る寿司用容器１００は、ネタ先端部３２ａの挟み込みを無くすことができて、寿司ネタ３２についてのボリューム感を増大させることのできるものとなっているのである。
【００３３】
また、上記課題を解決するために、請求項４に係る発明の採った手段は、上記請求項３に記載の寿司用容器１００について、
「ネタ台１３を外側下方に傾斜させるとともに、蓋体２０には外側下方へ傾斜する側壁２２を形成したこと」
である。
【００３４】
すなわち、この請求項４に係る寿司用容器１００では、まず、その容器本体１０に形成してあるネタ台１３を、図４〜図６に示すように、外側下方に傾斜させたものである。このため、ネタ先端部３２ａは、シャリ３１上の寿司ネタ３２から自然な状態でネタ台１３上に展開されることになり、その豪華さや美味しそうな見栄えを確実に維持し得るものとなっているのである。図５に示す例では、ネタ台１３を側面部１２の上端から比較的緩やかな傾斜または曲面で形成したものであり、図６に示す例では、ネタ台１３を側面部１２の上端から比較的急な傾斜または曲面で形成したものであるが、急にした方が第１ネタ空間Ｒ１を大きなものにすることができるメリットがある。
【００３５】
また、この請求項４に係る寿司用容器１００では、その蓋体２０に外側下方へ傾斜する側壁２２を形成したものであり、この側壁２２によってさらにネタ台１３が傾斜することになって、ネタ台１３と接触部２３ａとの距離を大きくすることができる。
【００３６】
従って、この請求項４に係る寿司用容器１００は、請求項３に係るそれと同様な機能を有する他、寿司ネタ３２のネタ先端部３２ａを、シャリ３１上の寿司ネタ３２からより自然な状態でネタ台１３上に展開し得るものとなっているのである。
【００３７】
上記課題を解決するために、請求項５に係る発明の採った手段は、後述する実施形態中で使用する符号を付して説明すると、
「寿司３０が収納される容器本体１０に蓋体２０を外嵌合するようにした寿司用容器１００であって、
容器本体１０の底面部１１の外周に膨出部１４を形成するとともに、この膨出部１４の外側にネタ台１３を一体的に形成して、
このネタ台１３の外側に形成した係合フランジ部１５に、蓋体２０の嵌合フランジ部２３を外嵌合したとき、膨出部１４の外側にあるネタ台１３上に、寿司３０のネタ先端部３２ａを収納する第１ネタ空間Ｒ１を形成したことを特徴とする寿司用容器１００」
である。
【００３８】
すなわち、この請求項５の寿司用容器１００は、図７に示すように、容器本体１０の底面部１１の外周に膨出部１４を形成するとともに、この膨出部１４の外側にネタ台１３を一体的に形成したものであり、その他は、上記請求項１及び請求項３に係るそれと同様であるので、以下では、容器本体１０の底面部１１の外周に膨出部１４を形成した点を中心に説明することとする。なお、この請求項５に係る寿司用容器１００を示す図７中に、上記請求項１や請求項３の説明で使用した部材で共通して使用している部材がある場合には、これと同一の符号を付して、その説明を省略する。
【００３９】
膨出部１４は、図７、図１０、及び図１１に示すように、例えばシート材料の該当部分を上方に向けて膨出させたものであり、ネタ台１３を膨出部１４の外側部分の下端から連続させるようにしたものである。換言すれば、この膨出部１４の内側部分は底面部１１から上方に立ち上がる部分であるから上述した側面部１２に該当するものであるが、膨出部１４の外側部分は、この側面部１２の上端から下方に垂れ下がる部分となるから、この垂れ下がり部分の下端にネタ台１３を連続させれば、ネタ台１３は容器本体１０の底面部１１と同様な位置から出発するものとなる。
【００４０】
そして、上記の膨出部１４の外側にあるネタ台１３上には、図７にも示すように、寿司３０のネタ先端部３２ａが収納される第１ネタ空間Ｒ１が形成されることになる。この結果、膨出部１４の外側に形成される第１ネタ空間Ｒ１は、ネタ台１３が膨出部１４の下端部から出発することになっているから、例えば図５に示す第１ネタ空間Ｒ１と比較すれば、より大きなものとし得るのである。
【００４１】
従って、この請求項５に係る寿司用容器１００は、ネタ先端部３２ａの挟み込みを無くすことができて、寿司ネタ３２についてのボリューム感を増大させることのできるものとなっているのである。
【００４２】
また、上記課題を解決するために、請求項６に係る発明の採った手段は、上記請求項５に記載の寿司用容器１００について、
「ネタ台１３を外側下方に傾斜させるとともに、蓋体２０には外側下方へ傾斜する側壁２２を形成したこと」
である。
【００４３】
すなわち、この請求項６に係る寿司用容器１００では、まず、その容器本体１０に形成してあるネタ台１３を、図７に示すように、外側下方に傾斜させたものである。このため、ネタ先端部３２ａは、シャリ３１上の寿司ネタ３２から自然な状態でネタ台１３上に展開されることになり、その豪華さや美味しそうな見栄えを確実に維持し得るものとなっているのである。
【００４４】
また、この請求項６に係る寿司用容器１００では、その蓋体２０に外側下方へ傾斜する側壁２２を形成したものであり、この側壁２２によってさらにネタ台１３が傾斜することになって、ネタ台１３と接触部２３ａとの距離を大きくすることができる。
【００４５】
従って、この請求項６に係る寿司用容器１００は、請求項５に係るそれと同様な機能を有する他、寿司ネタ３２のネタ先端部３２ａを、シャリ３１上の寿司ネタ３２からより自然な状態でネタ台１３上に展開し得るものとなっているのである。
【００４６】
そして、上記課題を解決するために、請求項７に係る発明の採った手段は、後述する実施形態中で使用する符号を付して説明すると、
「寿司３０が収納される容器本体１０に蓋体２０を外嵌合するようにした寿司用容器１００であって、
容器本体１０の底面部１１の外周に位置する係合フランジ部１５に膨出脚部１６を形成して、
容器本体１０の係合フランジ部１５に蓋体２０の嵌合フランジ部２３を外嵌合したときに、膨出脚部１６内を、寿司３０のネタ先端部３２ａを収納する第２ネタ空間Ｒ２としたことを特徴とする寿司用容器１００」
である。
【００４７】
すなわち、この請求項７に係る寿司用容器１００は、図８に示すように、容器本体１０の底面部１１の外周に位置する係合フランジ部１５に膨出脚部１６を形成したことが、上記請求項１〜請求項６のそれと異なるものであり、この異なる部分を中心に説明する。その他の構成は、上記請求項１〜請求項６に係るそれと同様な部分を含んでいるものであるので、上記請求項１〜６の説明で使用した部材で共通して使用している部材がある場合には、図８に同一の符号を付して、その説明を省略する。
【００４８】
この請求項７での係合フランジ部１５は、容器本体１０の底面部１１の外周に位置するものであるが、この係合フランジ部１５が底面部１１から直接的に位置する場合は勿論、底面部１１の外周に形成される側面部１２または膨出部１４に連続して形成される場合をも含むものである。
【００４９】
膨出脚部１６は、例えばシート樹脂の係合フランジ部１５に該当する部分を、部分的かつ下方に膨出させて形成できるものであり、その外側下面は、棚や机上に直接接触する部分となり、容器本体１０の底面部１１の下面がこれらの棚や机上から少し放された状態で当該寿司用容器１００を支えることになるものである。
【００５０】
さて、この請求項７の寿司用容器１００においても、容器本体１０の係合フランジ部１５に蓋体２０の嵌合フランジ部２３を外嵌合したときに、膨出脚部１６内には、寿司３０のネタ先端部３２ａを収納する第２ネタ空間Ｒ２が形成されることになる。
【００５１】
さて、上記のように構成した容器本体１０に、例えば図１に示すように、複数の寿司３０を載置及び収納するのであるが、このときに、タマゴ、トロ、エビ、あるいはアナゴのような大きな寿司ネタ３２については、そのネタ先端部３２ａを第２ネタ空間Ｒ２内に展開されるようにするのである。
【００５２】
次に、容器本体１０側の係合フランジ部１５の先端に蓋体２０側の係止部２３ｂが係合できるようにしながら容器本体１０に蓋体２０を嵌合するのであるが、嵌合し終われば、図８及び図９の（ａ）に示すような状態になる。つまり、膨出脚部１６内は、図９にも示すように、寿司３０のネタ先端部３２ａを収納する第２ネタ空間Ｒ２となるのであるから、ネタ先端部３２ａは蓋体２０の接触部２３ａによって潰されることはない。換言すれば、寿司３０は、その寿司ネタ３２のネタ先端部３２ａがネタ台１３上に展開されて美味しそうな見栄えを維持したまま、そのネタ先端部３２ａが潰されることはないのである。
【００５３】
従って、この請求項７に係る寿司用容器１００は、第２ネタ空間Ｒ２の存在によってネタ先端部３２ａの挟み込みを無くすことができて、寿司ネタ３２についてのボリューム感を増大させることのできるものとなっているのである。
【発明の効果】
【００５４】
以上、説明した通り、本発明においては、
「寿司３０が収納される容器本体１０に蓋体２０を外嵌合するようにした寿司用容器１００であって、
容器本体１０の底面部１１の外周にネタ台１３を一体的に形成して、このネタ台１３の外側に形成した係合フランジ部１５に、蓋体２０の嵌合フランジ部２３を外嵌合したとき、この嵌合フランジ部２３の接触部２３ａの内側でネタ台１３上に、寿司３０のネタ先端部３２ａを収納する第１ネタ空間Ｒ１を形成したこと」
あるいは、
「寿司３０が収納される容器本体１０に蓋体２０を外嵌合するようにした寿司用容器１００であって、
容器本体１０の底面部１１の外周に側壁部１２を形成するとともに、この側壁部１２の上端にネタ台１３を一体的に形成して、
このネタ台１３の外側に形成した係合フランジ部１５に、蓋体２０の嵌合フランジ部２３を外嵌合したとき、この嵌合フランジ部２３の接触部２３ａの内側でネタ台１３上に、寿司３０のネタ先端部３２ａを収納する第１ネタ空間Ｒ１を形成したこと」
または、
「寿司３０が収納される容器本体１０に蓋体２０を外嵌合するようにした寿司用容器１００であって、
容器本体１０の底面部１１の外周に膨出部１４を形成するとともに、この膨出部１４の外側にネタ台１３を一体的に形成して、
このネタ台１３の外側に形成した係合フランジ部１５に、蓋体２０の嵌合フランジ部２３を外嵌合したとき、膨出部１４の外側にあるネタ台１３上に、寿司３０のネタ先端部３２ａを収納する第１ネタ空間Ｒ１を形成したこと」
さらには、
「寿司３０が収納される容器本体１０に蓋体２０を外嵌合するようにした寿司用容器１００であって、
容器本体１０の底面部１１の外周に位置する係合フランジ部１５に膨出脚部１６を形成して、
容器本体１０の係合フランジ部１５に蓋体２０の嵌合フランジ部２３を外嵌合したときに、膨出脚部１６内を、寿司３０のネタ先端部３２ａを収納する第２ネタ空間Ｒ２としたこと」
に構成上の特徴があり、これにより、ネタ先端部３２ａの挟み込みを無くすことができて、寿司ネタ３２についてのボリューム感を増大させることのできる寿司用容器１００を、簡単な構成によって提供することができるのである。
【００５５】
換言すれば、本発明に係る寿司用容器１００は、
（１）特に、寿司ネタ３２について、寿司３０のシャリ３１から大きく突出した状態でしかも容器内にあっても溢れた感じにでき、ボリューム感溢れた収納を可能にすることができる
（２）寿司ネタ３２のネタ先端部３２ａが容器本体に対する蓋体の嵌合によって潰されないようにすることができる
（３）がっちりと「段積み」ができる
（４）係合フランジ部１５自体の模様が映えるようにすることができる
ものとすることができるのである。
【図面の簡単な説明】
【００５６】
【図１】本発明に係る寿司用容器１００の斜視図である。
【図２】請求項１に係るクレーム対応図であって、図１に示した寿司用容器１００の容器本体１０に蓋体２０を嵌合したときの部分断面図である。
【図３】請求項３に係るクレーム対応図であって、図１に示した寿司用容器１００の容器本体１０に蓋体２０を嵌合したときの部分断面図である。
【図４】請求項４に係るクレーム対応図であって、図１に示した寿司用容器１００の容器本体１０に蓋体２０を嵌合したときの部分断面図である。
【図５】請求項４に係る別のクレーム対応図であって、図１に示した寿司用容器１００の容器本体１０に蓋体２０を嵌合したときの部分断面図である。
【図６】請求項４に係るさらに別のクレーム対応図であって、図１に示した寿司用容器１００の容器本体１０に蓋体２０を嵌合したときの部分断面図である。
【図７】請求項５または請求項６に係るクレーム対応図であって、図１に示した寿司用容器１００の容器本体１０に蓋体２０を嵌合したときの部分断面図である。
【図８】本発明に係る寿司用容器１００の実施形態を示すもので、（ａ）は正面図、（ｂ）は側面図である。
【図９】図８に示した寿司用容器１００を部分的に拡大して示すもので、（ａ）は部分正面図、（ｂ）はネタ台１３の部分拡大断面図である。
【図１０】同寿司用容器１００を構成している容器本体１０の平面図である。
【図１１】同容器本体１０の断面を示すもので、（ａ）は図１０中の２−２線に沿ってみた断面図、（ｂ）は図１０中の３−３線に沿ってみた断面図である。
【図１２】同寿司用容器１００を構成している蓋体２０の平面図である。
【図１３】同蓋体２０の断面を示すもので、（ａ）は図１２中の４−４線に沿ってみた断面図、（ｂ）は図１２中の５−５線に沿ってみた断面図である。
【図１４】特許文献の技術を示すもので、（ａ）は正面図、（ｂ）は拡大縦断面図である。
【図１５】特許文献２に示された技術を示す斜視図である。
【図１６】特許文献２に示された技術を示す平面図である。
【図１７】一般的な包装用容器によってネタ先端部が潰されている様子を示す部分断面図である。
【発明を実施するための形態】
【００５７】
次に、上記のように構成した各請求項に係る発明を、図８〜図１３に示した実施形態に係る寿司用容器１００を中心に説明するが、この実施形態に係る寿司用容器１００は、上記各請求項に係る発明の全てを含むものである。
【００５８】
さて、図８には、本実施例に係る寿司用容器１００の正面図（ａ）及び側面図（ｂ）が示してあるが、この寿司用容器１００は、寿司３０が収納される容器本体１０と、この容器本体１０に外嵌合される蓋体２０とを有するものである。また、この寿司用容器１００のサイズは、横が１４５ｍｍ〜３２０ｍｍ、縦が９０ｍｍ〜３１０ｍｍで、高さは２０ｍｍ〜３０ｍｍとされるもので、中でも最適なのは、横が１８０ｍｍ〜３００ｍｍ、縦が９９ｍｍ〜１８６ｍｍで、高さは２０ｍｍである。
【００５９】
容器本体１０には、図１にも示すように、多数の寿司３０が斜めに収納されるものであり、この斜め収納をし易くするためのガイドライン（略ヘ字状の突起リブ）が、図１０に示したように形成してある。なお、斜め収納は、右効きの人が持った箸で各寿司３０を摘み易くするための方法である。
【００６０】
本実施形態に係る容器本体１０は、例えば、厚さ０．４ｍｍ〜０．８ｍｍのＰＳ、Ａ−ＰＥＴ、ＰＬＡ、ＰＰＦ等のソリッドシート、あるいは厚さ１．０ｍｍ〜４．０ｍｍのポリスチレンペーパーのような発泡シートを真空成形材料としてシート成形したものであり、図１０に示したように、底面部１１の周囲に膨出部１４を形成したものである。この膨出部１４は、図８の（ａ）にも示したように、底面部１１から上方に膨出させて形成したものであり、内側で立ち上がる部分が側面部１２を構成することになるものである。そして、この膨出部１４の外側部分の下端部からは、上部に第１ネタ空間Ｒ１を形成することになるネタ台１３が一体的に連続するものとして形成してあり、このネタ台１３の先端部分が係合フランジ部１５となっている。
【００６１】
ネタ台１３は、幅が１０ｍｍ〜１９ｍｍであるのが好ましく、中でも１３ｍｍ〜１４ｍｍ程度のものが最も好ましいものである。
【００６２】
また、この膨出部１４の上端の一部は、図１０にも示したように、側面部１２の部分的な低下部１２ａとなるような加工が施してあり、この低下部１２ａの外側に位置するネタ台１３には、図８の（ａ）にも示したように、下方に向けて膨出させた膨出脚部１６が複数形成してある。この膨出脚部１６内は、底面部１１上の空間から側面部１２の低下部１２ａを介して連続する第２ネタ空間Ｒ２となっているものであり、この第２ネタ空間Ｒ２内には、底面部１１上に収納した寿司３０を構成している寿司ネタ３２のネタ先端部３２ａが、上記低下部１２ａ上に乗りながら収納し得るものとなっている。
【００６３】
勿論、各膨出脚部１６は、当該寿司用容器１００全体を、その底面部１１の下面が棚や机上に直接接触しないように支持するものであり、図８に示すように、同一の高さに形成される他、底面部１１が傾斜状態で棚上に置けるように高さが調整されることもある。
【００６４】
さて、上述したネタ台１３であるが、本実施形態に係るものでは、図９に示したように、外側に向かって下方に傾斜する平面形状にしたものであるが、このネタ台１３に寿司３０のネタ先端部３２ａを載置することを考えると、水平平面であってもよいし、平面でなく曲面であってもよい。曲面にする場合は、上方に凸となるようにすれば、寿司ネタ３２のボリューム感をさらに増大させることが可能である。
【００６５】
また、この実施形態に係るネタ台１３は、膨出部１４に連続するものとしてあるが、底面部１１の外周に直接形成しても、底面部１１の外周に形成した側面部１２に連続させても、さらには、底面部１１に連続した係合フランジ部１５に形成した膨出脚部１６以外の部分に形成するように実施してもよい。
【００６６】
さらに、このネタ台１３上に種々な装飾あるいは印刷を施して実施するとよい。このネタ台１３上の全てにネタ先端部３２ａが乗ることは少ないから、これらの装飾あるいは印刷が寿司３０に相応しいものであると、ネタ台１３のネタ先端部３２ａが乗っていない部分の装飾を行うことができて、当該寿司用容器１００の豪華さをより一層演出することができる。
【００６７】
以上のようにしたネタ台１３上は、非常に広い面積が存在することにもなるし、底面部１１上は膨出部１４によって区切られているから、当該容器本体１０上に寿司３０を詰める人は、各寿司３０のシャリ３１をこの膨出部１４内に収納するとともに、はみ出しそうな寿司ネタ３２があれば、そのネタ先端部３２ａをネタ台１３上に載せるか、あるいは膨出脚部１６内（第２ネタ空間Ｒ２内）に展開させればよい。つまり、当該容器本体１０上には、シャリ３１の収納箇所と、ネタ先端部３２ａの載置箇所とが確保されているから、収納作業者は、寿司３０の収納作業を簡単に行えることになるのである。
【００６８】
また、本実施形態の容器本体１０には、上述した膨出部１４、これに形成した低下部１２ａ、そして複数の膨出脚部１６が形成してあるから、これらによって複雑形状を有するものとなっており、その結果、一見する平らな容器本体１０ではあるが、その剛性は相当高いものとなっているのである。この容器本体１０が剛性の高いものとなっていれば、この容器本体１０を使用した寿司用容器１００の多数を段積みした場合でも、下側の寿司用容器１００が潰れることはないことになる。
【００６９】
この容器本体１０の係合フランジ部１５は、容器本体１０の底面部１１の外周に位置するものであり、この係合フランジ部１５は底面部１１の外周に形成される側面部１２または膨出部１４に連続して形成されるものである。そして、この係合フランジ部１５には、膨出脚部１６が形成してある。
【００７０】
膨出脚部１６は、例えばシート樹脂の係合フランジ部１５に該当する部分を、部分的かつ下方に膨出させて形成したものであり、その外側下面は、棚や机上に直接接触する部分となり、容器本体１０の棚やテーブルへの安定的載置を可能にする他、底面部１１の下面が冷蔵展示棚上から少し放された状態としながら当該寿司用容器１００を支えることになるものである。
【００７１】
この容器本体１０に対して嵌合される蓋体２０は、Ａペットからなる合成樹脂シートを真空成形、つまりシート成形して形成されるものであり、図１中の仮想線、図１２及び図１３に示したように、側壁部２２によって天板部２１を持ち上げた状態に形成したものであり、この側壁部２２の下端開口部分には嵌合フランジ部２３が形成されるものである。
【００７２】
この嵌合フランジ部２３には、図１３にも示したように、接触部２３ａと係止部２３ｂとが形成してあるが、接触部２３ａは、図２に示したように、ネタ台１３の先端部分あるいは係合フランジ部１５上に接触することになるものである。また、係止部２３ｂは、図２及び図９の（ａ）に示したように、上述した容器本体１０側の係合フランジ部１５の先端に係止されることになるものである。
【符号の説明】
【００７３】
１００    寿司用容器
１０    容器本体
１１    底面部
１２    側面部
１２ａ  低下部
１３    ネタ台
１４    膨出部
１５    係合フランジ部
１６    膨出脚部
２０    蓋体
２１    天板部
２２    側壁部
２３    嵌合フランジ部
２３ａ  接触部
２３ｂ  係止部
３０    寿司
３１    シャリ
３２    寿司ネタ
３２ａ  ネタ先端部
Ｒ１    第１ネタ空間
Ｒ２    第２ネタ空間
【図１】
2011157113.tif 000003
【図２】
2011157113.tif 000004
【図３】
2011157113.tif 000005
【図４】
2011157113.tif 000006
【図５】
2011157113.tif 000007
【図６】
2011157113.tif 000008
【図７】
2011157113.tif 000009
【図８】
2011157113.tif 000010
【図９】
2011157113.tif 000011
【図１０】
2011157113.tif 000012
【図１１】
2011157113.tif 000013
【図１２】
2011157113.tif 000014
【図１３】
2011157113.tif 000015
【図１４】
2011157113.tif 000016
【図１５】
2011157113.tif 000017
【図１６】
2011157113.tif 000018
【図１７】
2011157113.tif 000019